(57)【要約】  補助手術においての歯科的介入のためのアバットメント（１００）であって、下部円筒状要素（２）、及び前記円筒状要素（２）の上側に一体に結合される部分的球状要素（３）からなる第１要素（１）であって、複数の部分に分割され、外部要素（４）によって共に固定され、前記下部円筒状要素（２）と前記部分的球状要素（３）との間の遷移区域の内部に肩部（７）が設けられ、前記部分的球状要素は、前記肩部（７）を終点として、内部中央に穴の開いたネジ（６）が結合されるネジ山（５）を含み、前記下部円筒状要素（２）には、複数の段部または突出部（８）が設けられた第１要素（１）と、  前記第１要素（１）の前記円筒状要素（２）の内部に挿入され、前記円筒状要素（２）に設けられた前記複数の段または突出部（８）に対して上下に移動することができる複数の段部または突出部（１２）が外部に設けられた第１上部円筒状要素（１１）、及び下部部分的球状要素（１３）を含む第２要素（１０）と、  複数の部分に分割され、デンタルインプラント（１５）と結合するための手段（１４）となる第３部分的球状要素（１６）と、  を含むことを特徴とするアバットメント（１００）。
2021500951.tif 000002
【特許請求の範囲】
【請求項１】
補助手術においての歯科的介入のためのアバットメント（１００）であって、下部円筒状要素（２）、及び前記円筒状要素（２）の上側に一体に結合される部分的球状要素（３）からなる第１要素（１）であって、複数の部分に分割され、外部要素（４）によって共に固定され、前記下部円筒状要素（２）と前記部分的球状要素（３）との間の遷移区域の内部に肩部（７）が設けられ、前記部分的球状要素は、前記肩部（７）を終点として、内部中央に穴の開いたネジ（６）が結合されるネジ山（５）を含み、前記下部円筒状要素（２）には、複数の段部または突出部（８）が設けられた第１要素（１）と、
前記第１要素（１）の前記円筒状要素（２）の内部に挿入され、前記円筒状要素（２）に設けられた前記複数の段部または突出部（８）に対して上下に移動することができる複数の段部または突出部（１２）が外部に設けられた第１上部円筒状要素（１１）、及び下部部分的球状要素（１３）を含む第２要素（１０）と、
複数の部分に分割され、デンタルインプラント（１５）と結合するための手段（１４）となる第３部分的球状要素（１６）と、
を含むことを特徴とするアバットメント（１００）。
【請求項２】
前記第１要素（１）の前記部分的球状要素（３）は、３〜６個の多数の部分に分割され、望ましくは、３個の部分に分割されることを特徴とする請求項１に記載のアバットメント（１００）。
【請求項３】
前記外部要素（４）は、リング（４）で構成されることを特徴とする請求項１または２に記載のアバットメント（１００）。
【請求項４】
前記第３下部部分的球状要素（１６）は、４個の部分に細分化されることを特徴とする請求項１から請求項３のいずれかに記載のアバットメント（１００）。
【発明の詳細な説明】
【技術分野】
【０００１】
本発明は、デンタルインプラント、特に、補助手術において歯科的介入のためのアバットメントに関する。
【背景技術】
【０００２】
補助手術介入（ｉｎｔｅｒｖｅｎｔｉｏｎ）方法は、歯科技術の中で、長い間知られている。この補助手術介入は写真及びＸ線によって、口と患者の外観とに関する最も多量のデータを収集すること、特定のコンピュータプログラムによって口腔内装置の仮想モデルを構成すること、前記仮想モデルに基づいて、患者の歯科装置に適用される１つまたはそれ以上の歯科補綴物を仮想的に設計すること、歯科補綴物を、例えばプラスチック材料で、製造すること、１つまたはそれ以上のアバットメント（ａｂｕｔｍｅｎｔ）によって、患者の口腔装置に歯科補綴物を移植すること、が含まれている。当該技術は、販売中の任意の型の既存インプラントに適用可能である。
【０００３】
また、骨に予め挿入されたインプラントネジに歯科補綴物を固定するために、インプラントを使用する方法も知られている。
【０００４】
補助手術技術によれば、患者口腔の仮想モデルについて行われた研究によって歯茎上の位置及び前記アバットメントの軸の配向が得られる。しかし、このプロセスは、仮想モデルと実際の口との間に計測検査で識別することができない差異があるため、実際の口腔装置及び補綴物は、仮想モデルで見られるものとは、特定の細部事項で異なるという、実用上の様々な欠点を有している。
【０００５】
これは、患者に歯科補綴物を装着する間に大きな問題を引き起こす。例えば、装着されたデンタルインプラントの実際の位置と、設計時に計画されたデンタルインプラントの実際の位置とのズレは、１つ以上のアバットメントを再配置しなければならないので、プロセス速度を低下させるなどの問題を引き起こす。
【０００６】
いずれにしても、このような問題は、手術者に相当な経験と技術とを要求する。
【０００７】
前記に照らして、前述した問題を克服することを可能とする要素を提供することは明らかに必要であり、これにより、手術者に高度な専門化を必要せずとも、補助手術を完璧に適用可能になる。
【０００８】
この問題に対する最初の解決策として、２０１５年１０月１４日のイタリア特許出願第１０２０１５００００６１号が提案された。これは、上部本体及び下部本体を含む前記類型のアバットメントであって、Ｘ、Ｙ及びＺ軸に沿って前記下部本体の移動を許容するために、前記上部本体と前記下部本体との間に少なくとも１つの弾性要素を含み、前記上部本体、前記少なくとも１つの弾性要素及び前記下部本体を通過する穴を含み、正しい位置でアバットメントを塞ぐフィラーを含むことを特徴としている。
【０００９】
しかし、このような解決策も、前記で強調された問題を解決するには十分ではないということが明らかになった。
【発明の概要】
【発明が解決しようとする課題】
【００１０】
本発明の目的は、従来技術の短所を克服するものであり、特に、実際の状況と相対的な仮想モデルとの間のあらゆる差異を補うことができる歯科補助手術技術のためのアバットメントを提供することにより、歯科分野で補助手術技術を容易に適用可能にすることである。
【課題を解決するための手段】
【００１１】
本発明の具体的な目的は、特に、補助手術において歯科的介入のためのアバットメントであり、次の内容を含んでいる。下部円筒状要素、及び前記円筒状要素の上側に一体に結合される部分的球状要素からなる第１要素であって、複数の部分に分割され、外部要素によって共に固定され、前記下部円筒状要素と前記部分的球状要素との間の遷移区域の内部に肩部が設けられ、前記部分的球状要素は、前記肩部を終点として、内部中央に穴の開いたネジが接合されるネジ山を含み、前記下部円筒状要素には、複数の段部または突出部が設けられた第１要素。前記第１要素の前記円筒状要素の内部に挿入され、前記円筒状要素に設けられた前記複数の段部または突出部に対して上下に移動することができる複数の段部または突出部が外部に設けられた第１上部円筒状要素、及び下部部分的球状要素を含む第２要素。複数の部分に分割され、デンタルインプラントと結合するための手段を終点とする第３の部分的球状要素。
【００１２】
望ましくは、本発明によれば、前記第１要素の前記部分的球状要素は、３個から６個の可変的な多数の部分に分割され、望ましくは、３個の部分に分割される。また、本発明によれば、前記外部要素は、リングで構成される。本発明によれば、前記下部部分的球状要素は、４個の部分に分割される。
【図面の簡単な説明】
【００１３】
【図１】本発明によるアバットメントの横断面図である。
【図２】図１のアバットメントの第１部分切断斜視図である。
【図３】図１のアバットメントの第２部分切断斜視図である。
【発明を実施するための形態】
【００１４】
本発明を添付の図面を参照して、本発明の実施形態に従って説明する。本発明の実施形態は一例であり、本発明の範囲を限定することはない。
【００１５】
図面を参照すれば、特に補助手術介入の場合、数字１００はアバットメント全体を示す。
【００１６】
アバットメント１００は、実質的に下部円筒状要素２及び上部部分的球状要素３で構成される第１上部要素１からなり、図面に示された実施例において、３個の部分に分割され、リング４によって共に固定される。明白に、上部要素１が分割される部分の数は、例えば、３個、４個、５個または６個のように異なることができる。
【００１７】
前記上部部分的球状要素３には、ネジ山５が内部的に設けられ、これに穴の開いたネジ６が螺合される。また、内部的に、前記下部円筒状要素２と前記上部部分的球状要素３との間の遷移区域で、ネジ山５の始点に肩部７が存在する。前記肩部７と相互作用する、前記穴の開いたネジ６を締めたり緩めたりすることによって、必要に応じて前記第１要素１を開閉することを決定する。
【００１８】
下部円筒状要素２は、内部的に一連の段部８を有する。
【００１９】
本発明によるアバットメント１００は、円筒状要素１１の上部に一連の段部１２を外部的に有する、第２要素１０を含み、該一連の段部１２は第１要素１の下部円筒状要素２に設けられた段部８に対応している。
【００２０】
前記円筒状要素１１は、第１要素１の円筒形部分２と内部で接合することができるような寸法を有し、それぞれの段部８および１２により、Ｚ軸に応じた調整が可能になる。
【００２１】
以下、前記第２要素１０は、部分的球状要素１３を含む。
【００２２】
また、４個の部品に分割される（ただし、部品の数は４個より多くてもよく、４個以下であってもよい）第３部分的球状要素１６があり、これは、第２要素の部分的球状要素１３内に収容される。第３要素１６の下には、販売中の任意の型の幾何学的（ｍａｔｈｅｍａｔｉｃａｌ）インプラント、又は、将来販売予定のデンタルインプラント１５の幾何学的（ｍａｔｈｅｍａｔｉｃａｌ）シート１４がある。デンタルインプラント１５のネジ（図示せず）が締められる時、第３部分的球状要素１６の拡張があり、これにより、その回転軸の傾きを防止する。
【００２３】
本発明による前記類型のアバットメントは、安定性が機械的力によって保証されるために、従来技術の短所を完全に克服することができる。
【００２４】
本発明は、適用範囲を限定することなく、望ましい実施形態に従って、例示として記載されるものであるが、本発明は、本発明の概念の範囲を逸脱せずに、当該分野の専門家によって修正及び／または改造されるということを理解せねばならない。
【図１】
2021500951.tif 000003
【図２】
2021500951.tif 000004
【図３】
2021500951.tif 000005
【国際調査報告】
2021500951.tif 000006
2021500951.tif 000007
2021500951.tif 000008
2021500951.tif 000009
2021500951.tif 000010